(57)【要約】【課題】  アシンメトリディスクの再生等により波形に偏りがある信号が入力された場合においても、出力信号がＧＮＤレベルに張り付いて波形が歪み、プレイアビリティが悪化することを防ぐことのできる信号再生装置を提供する。【解決手段】  入力信号の利得を制御する可変増幅部と、可変増幅部の出力から直流成分を除去する低域成分除去部と、低域成分除去部の出力のボトム値と所定の範囲の上限及び下限の閾値とを比較する比較部と、比較部で用いる閾値を設定する所定値設定部と、比較部の出力を保持する信号保持部と、信号保持部の出力に対して任意の重み付けを行なう重み付け部と、重み付け部の出力を所定の周期で加算する平均化部と、平均化部の出力に基づいて、可変増幅部の増幅度を制御する制御部とを備える。【選択図】  図１
2009026388.tif 000002
【特許請求の範囲】
【請求項１】
入力信号の利得を制御する可変増幅部と、
前記可変増幅部の出力から直流成分を除去する低域成分除去部と、
前記低域成分除去部の出力のボトム値またはピーク値と、所定の範囲の上限及び下限の閾値とを比較する比較部と、
前記比較部で用いる閾値を設定する所定値設定部と、
前記比較部の出力を保持する信号保持部と、
前記信号保持部の出力に対して任意の重み付けを行なう重み付け部と、
前記重み付け部の出力を所定の周期で加算する平均化部と、
前記平均化部の出力に基づいて可変増幅部の増幅度を制御する制御部とを備える、
ことを特徴とする信号再生装置。
【請求項２】
入力信号の利得を制御する可変増幅部と、
前記可変増幅部の出力から直流成分を除去する低域成分除去部と、
前記低域成分除去部の出力のボトム値またはピーク値と、所定の範囲の上限及び下限の閾値とを比較する比較部と、
前記比較部で用いる閾値を設定する所定値設定部と、
前記比較部の出力を保持する信号保持部と、
前記入力信号に混在するディフェクトを検出するディフェクト検出部と、
前記ディフェクト検出部がディフェクトを検出しない場合には、前記入力信号の信号状態に応じて前記信号保持部の出力に対して重み付けを行ない、前記ディフェクト検出部がディフェクトを検出した場合には重みの設定を固定する重み付け部と、
前記重み付け部の出力を所定の周期で加算する平均化部と、
前記平均化部の出力に基づいて可変増幅部の増幅度を制御する制御部とを備える、
ことを特徴とする信号再生装置。
【請求項３】
ディスク状記録媒体から再生された入力信号の利得を制御する可変増幅部と、
前記可変増幅部の出力から直流成分を除去する低域成分除去部と、
前記低域成分除去部の出力のボトム値またはピーク値と、所定の範囲の上限及び下限の閾値とを比較する比較部と、
前記比較部で用いる閾値を設定する所定値設定部と、
前記比較部の出力を保持する信号保持部と、
前記ディスク状記録媒体の再生中のフォーカス外れを検出するフォーカス外れ検出部と、
前記フォーカス外れ検出部がフォーカス外れを検出しない場合には、前記入力信号の信号状態に応じて、前記信号保持部の出力に対して重み付けを行ない、前記フォーカス外れ検出部がフォーカス外れを検出した場合には、現在設定している重みの設定を初期値にリセットする重み付け部と、
前記重み付け部の出力を所定の周期で加算する平均化部と、
前記平均化部の出力に基づいて可変増幅部の増幅度を制御する制御部とを備える、
ことを特徴とする信号再生装置。
【請求項４】
入力信号の利得を制御する可変増幅部と、
前記可変増幅部の出力から直流成分を除去する低域成分除去部と、
前記低域成分除去部の出力のボトム値またはピーク値と、所定の第１または第２の範囲の上限及び下限の閾値とをそれぞれ比較する比較部と、
前記比較部で用いる閾値を設定する所定値設定部と、
前記比較部の出力のうち、前記低域成分除去部の出力のボトム値またはピーク値と、前記所定の閾値との比較結果を保持する信号保持部と、
前記比較部の比較結果に基づいて、前記入力信号の信号状態を判別する信号判別部と、
前記信号判別部の判別結果に基づいて、前記信号保持部の出力に対して重み付けを行なう重み付け部と、
前記重み付け部の出力を所定の周期で加算する平均化部と、
前記平均化部の出力に基づいて可変増幅部の増幅度を制御する制御部とを備える、
ことを特徴とする信号再生装置。
【発明の詳細な説明】
【技術分野】
【０００１】
本発明は、信号再生装置に関し、特に、光学的情報記録再生装置におけるデータ再生信号の自動利得制御機能を有するものに関する。
【背景技術】
【０００２】
一般に、光ディスクシステムにおける信号処理回路として、再生信号の振幅を一定にするためにＡＧＣ（Ａｕｔｏ  Ｇａｉｎ  Ｃｏｎｔｒｏｌ：自動利得制御）が用いられる。ＡＧＣは既知の技術であり、例えば、特許文献１には、光ピックアップから出力される再生信号の処理例が挙げられている。
【０００３】
ＡＧＣは、信号の上側，下側それぞれの検波処理を行なって振幅の大きさを検知し、その検知した大きさに応じたゲイン設定を可変増幅器に与える。また、出力信号の中心を検知するための直流生成回路の出力も、可変ゲインアンプに与え、入力信号のオフセットを打ち消す。
【０００４】
これらＡＧＣの処理を行なう際には、振幅値，直流値を可変増幅器に与えることで、入力信号の振幅が変化しても、出力信号の振幅が一定になるような動作をさせるようにしている。
【０００５】
特許文献１に記載のようなＡＧＣ増幅回路は、可変増幅手段の出力の、上側，及び下側それぞれの値を保持して振幅を検知し、可変増幅手段の制御値を決定した後、制御値を平均化して可変増幅手段に入力するとともに、可変増幅手段の出力の、上側，及び下側それぞれの値に基づいて振幅の中心の直流レベルをも検知し、平均化した後に可変増幅手段に入力する。このような構成の場合、増幅度を決定する制御値と、振幅レベルの中心を示す直流レベルとの２つを、可変増幅手段に帰還させる必要があり、回路構成が複雑になる。
【０００６】
また、アナログ回路で構成した場合、高い素子精度が必要になったり、消費電流が多くなるなどの問題も発生し、特に、低消費電流が求められる携帯用途向けのＣＭＯＳ−ＬＳＩ等への搭載には向かない。
【０００７】
また、入力信号をアナログ・ディジタル変換器によりディジタル信号に変換してからＡＧＣ処理をする場合もあるが、光ピックアップから出力される再生信号を変換する際には、特に、変換器に要求される動作速度は速くなり、同時に消費電流も多くなってしまう。
【０００８】
そこで、従来の信号再生装置では、可変増幅手段へ直流レベルの帰還をなくすために、帰還ループ内に低域成分除去手段を入れるとともに、所定値設定手段、及び比較手段により、低域成分除去手段の出力の上側（または下側）のみの値を検知する構成とし、出力信号の振幅が一定になるように動作させていた。
【０００９】
図６は、従来の信号再生装置６００を示すブロック図である。
【００１０】
図６に示されるように、従来の信号再生装置６００は、ディスクから再生された入力信号１の利得を制御する可変増幅部２と、可変増幅部２の出力から直流成分を除去する低域成分除去部３と、低域成分除去部３の出力のピーク値と、所定の範囲の上限、及び下限の閾値とを比較する比較部６と、比較部６で用いる閾値を設定する所定値設定部５と、比較部６の出力を保持する信号保持部７と、信号保持部７の出力を所定の周期で加算する平均化部９と、平均化部９の出力に基づいて、可変増幅部２の増幅度を制御する制御部１０とを備えている。
【００１１】
このような従来の信号再生装置６００の動作について説明する。
【００１２】
まず、光ピックアップから出力された再生信号は、入力信号１として可変増幅部２にて増幅された後、２つに分岐され、一方は出力信号４として装置外に出力され、他方は低域成分除去手段３に入力されて直流成分が除去される。ここで、可変増幅部２の増幅度は、制御部１０が出力する制御値により決定される。
【００１３】
低域成分除去部３から出力された信号は、比較部６に入力され、そのピーク値と、所定値設定部５により設定される比較値とが比較され、その比較結果は、信号保持部７により一定時間保持された後、出力される。
【００１４】
信号保持部７から出力された信号は、平均化部９により一定間隔で加算され、その和が平均値として出力され、制御部１０に入力される。制御部１０では、可変増幅部２に制御値を与え、装置全体に負帰還がかかるように増幅レベルを制御する。
【００１５】
図７は、該信号再生装置６００の入出力信号の波形を示す図である。
【００１６】
図７において、実線は入力信号の信号波形、及びその最大振幅（包絡線）を、破線は出力信号の信号波形、及びその最大振幅（包絡線）をそれぞれ示しており、入力信号の振幅が小さくなった際（入力信号減衰時）に、入力信号が増幅され、出力信号が元のレベルに戻された状態を示している。
【００１７】
図８は、従来の信号再生装置６００の各部の信号タイミング図である。
【００１８】
入力信号１の振幅が小さくなった場合、可変増幅部２にて増幅を行なった後、直流成分を低域成分除去部３により除去された信号が、比較部６に入力される。ここで、出力信号４を所定の振幅にするためには、低域成分除去部３の出力のピーク値がｃ０であることが必要であるとすると、所定値設定部５は、振幅の収束に幅を持たせるために、比較部６で用いる閾値として、ｃ０に対して小さめのｃ１、及び大きめのｃ２を設定する。なお、この収束の幅は、光ピックアップから出力された再生信号の特性により決定する必要がある。
【００１９】
比較部６は、低域成分除去部３の出力のピーク値が、ｃ１以下の時−１、ｃ１からｃ２の間の時は０、ｃ２以上の時は＋１と出力する。ここでは、比較部６は、コンパレータを２個使用して回路を構成している。
【００２０】
信号保持部７は、一定周期Ｔａで保持値を更新するが、その値は、比較部６がＴａｎ間（ｎ＝１，２，．．．）に出力する最大値であり、次の周期Ｔａｎ＋１で出力する。例えば、比較部６が出力する最大値が、Ｔａ５間で−１となっているため、信号保持部７は、Ｔａ６にて−１を出力している。
【００２１】
次に、平均化部９は、信号保持部７の出力を一定周期Ｔｂで加算を行ない、Ｔｂｍ間（ｍ＝１，２，．．．）で加算した結果を、次の周期Ｔｂｍ＋１で出力する。ここで、ＴｂはＴａより長い周期である必要がある。
【００２２】
ここでは、例えば、Ｔａ５ないしＴａ８での信号保持部７の出力を加算した結果の−３が、Ｔｂ２にて出力されている。
【００２３】
制御部１０は、平均化部９の出力に基づいて、可変増幅部２を制御可能な制御値を生成する。図８では、平均化部９の出力が負になっていることから、可変増幅部２の振幅が不足しているので、制御部１０は、増幅度を増加させる制御信号を出力している。
【００２４】
逆に、入力信号１の振幅が大きくなった場合、出力信号４は一旦、入力信号１の振幅の増加に追従するが、各構成要素により、最終的には制御部１０より可変増幅部２の増幅度を下げる制御信号が出力され、所定値設定部５により設定された範囲内に出力信号のピーク値が収まると、制御信号は一定となり、可変増幅部２の増幅度も一定となるので、出力信号の振幅も一定となる。
【特許文献１】特開２０００−１３４０４９号公報
【発明の開示】
【発明が解決しようとする課題】
【００２５】
しかし、上述のような従来の信号再生装置６００では、アシンメトリディスクを再生する際などに、出力信号がＧＮＤレベルに張り付いてしまうことがあった。
【００２６】
図９は、従来の信号再生装置６００に偏りのある信号が入力された場合の信号タイミング図である。
【００２７】
図９に示されるように、平均化部９出力は＋２となっており、これに基づいて制御部１０は入力信号の振幅が小さいと判断し、可変増幅部２の増幅度を制御することで、出力信号４のレベルを所定の範囲内に収束させているが、アシンメトリディスクの再生等により波形に偏りがある信号が入力された際には、可変増幅部２の増幅度が高すぎる状態となり、出力信号４のボトム側が、ＧＮＤレベルに当たってしまっている。
【００２８】
このように、従来の信号再生装置では、アシンメトリディスクの再生等により波形に偏りがある信号が入力された際に、出力信号が下側のＧＮＤレベルに張り付いてしまい、入力信号に対する出力信号の波形に歪が生じ、ディスク再生のプレイアビリティに悪影響を与えてしまうことがある、という問題があった。
【００２９】
本発明は、上述のような従来の問題点を解決するためになされたもので、アシンメトリディスクの再生等により波形に偏りがある信号が入力された場合においても、出力信号がＧＮＤレベルに張り付いてしまって波形が歪み、プレイアビリティが悪化してしまう、という現象を防ぐことのできる信号再生装置を提供することを目的とする。
【課題を解決するための手段】
【００３０】
本発明の請求項１に係る信号再生装置は、入力信号の利得を制御する可変増幅部と、前記可変増幅部の出力から直流成分を除去する低域成分除去部と、前記低域成分除去部の出力のボトム値またはピーク値と、所定の範囲の上限及び下限の閾値とを比較する比較部と、前記比較部で用いる閾値を設定する所定値設定部と、前記比較部の出力を保持する信号保持部と、前記信号保持部の出力に対して任意の重み付けを行なう重み付け部と、前記重み付け部の出力を所定の周期で加算する平均化部と、前記平均化部の出力に基づいて、可変増幅部の増幅度を制御する制御部とを備えるものである。
【００３１】
本発明の請求項２に係る信号再生装置は、入力信号の利得を制御する可変増幅部と、前記可変増幅部の出力から直流成分を除去する低域成分除去部と、前記低域成分除去部の出力のボトム値またはピーク値と、所定の範囲の上限及び下限の閾値とを比較する比較部と、前記比較部で用いる閾値を設定する所定値設定部と、前記比較部の出力を保持する信号保持部と、前記入力信号に混在するディフェクトを検出するディフェクト検出部と、前記ディフェクト検出部がディフェクトを検出しない場合には、前記入力信号の信号状態に応じて、前記信号保持部の出力に対して重み付けを行ない、前記ディフェクト検出部がディフェクトを検出した場合には、重みの設定を固定する重み付け部と、前記重み付け部の出力を所定の周期で加算する平均化部と、前記平均化部の出力に基づいて、可変増幅部の増幅度を制御する制御部とを備えるものである。
【００３２】
本発明の請求項３に係る信号再生装置は、ディスク状記録媒体から再生された入力信号の利得を制御する可変増幅部と、前記可変増幅部の出力から直流成分を除去する低域成分除去部と、前記低域成分除去部の出力のボトム値またはピーク値と、所定の範囲の上限及び下限の閾値とを比較する比較部と、前記比較部で用いる閾値を設定する所定値設定部と、前記比較部の出力を保持する信号保持部と、前記ディスク状記録媒体の再生中のフォーカス外れを検出するフォーカス外れ検出部と、前記フォーカス外れ検出部がフォーカス外れを検出しない場合には、前記入力信号の信号状態に応じて、前記信号保持部の出力に対して重み付けを行ない、前記フォーカス外れ検出部がフォーカス外れを検出した場合には、現在設定している重みの設定を初期値にリセットする重み付け部と、前記重み付け部の出力を所定の周期で加算する平均化部と、前記平均化部の出力に基づいて、可変増幅部の増幅度を制御する制御部とを備えるものである。
【００３３】
本発明の請求項４に係る信号再生装置は、入力信号の利得を制御する可変増幅部と、前記可変増幅部の出力から直流成分を除去する低域成分除去部と、前記低域成分除去部の出力のボトム値またはピーク値と、所定の第１または第２の範囲の上限及び下限の閾値とをそれぞれ比較する比較部と、前記比較部で用いる閾値を設定する所定値設定部と、前記比較部の出力のうち、前記低域成分除去部の出力のボトム値と、前記所定の範囲の閾値との比較結果を保持する信号保持部と、前記比較部の比較結果に基づいて、前記入力信号の信号状態を判別する信号判別部と、前記信号判別部の判別結果に基づいて、前記信号保持部の出力に対して重み付けを行なう重み付け部と、前記重み付け部の出力を所定の周期で加算する平均化部と、前記平均化部の出力に基づいて、可変増幅部の増幅度を制御する制御部とを備えるものである。
【発明の効果】
【００３４】
本発明に係る信号再生装置は、入力信号の状態に応じて、信号保持部の出力に対して重み付けを行なう重み付け部を備えたので、アシンメトリディスクの再生等により波形に偏りがある信号が入力されたような場合にも、出力信号がＧＮＤレベルに張り付いてしまって波形が歪み、プレイアビリティが悪化してしまうという現象を、防ぐことができるという効果がある。
【００３５】
また、これらの回路は、デジタル回路で構成することができ、回路構成が簡単なため、回路規模を小さくすることができる。
【発明を実施するための最良の形態】
【００３６】
以下、本発明の実施の形態を、図面を参照しながら説明する。
（実施の形態１）
以下、本発明の実施の形態１による信号再生装置１００について説明する。
【００３７】
図１は、本発明の実施の形態１による信号再生装置１００のブロック図である。
【００３８】
本実施の形態１の信号再生装置１００は、ディスクから再生された入力信号１の利得を制御する可変増幅部２と、可変増幅部２の出力から直流成分を除去する低域成分除去部３と、低域成分除去部３の出力のボトム値と、所定の範囲の上限、及び下限の閾値とを比較する比較部６と、比較部６で用いる閾値を設定する所定値設定部５と、比較部６の出力を保持する信号保持部７と、入力信号１の状態を監視する装置外のマイコン等（図示しない）による設定に基づいて、信号保持部７の出力に対して重み付けを行なう重み付け部８と、重み付け部８の出力を所定の周期で加算する平均化部９と、平均化部９の出力に基づいて、可変増幅部２の増幅度を制御する制御部１０とを備えている。
【００３９】
以下、本実施の形態１による信号再生装置１００の動作について説明する。
【００４０】
まず、光ピックアップから出力された再生信号は、入力信号１として可変増幅部２にて増幅された後、２つに分岐され、一方は出力信号４として装置外に出力され、他方は低域成分除去手段３に入力されて直流成分が除去される。ここで、可変増幅部２の増幅度は、制御部１０が出力する制御値により決定される。
【００４１】
低域成分除去部３から出力された信号は、比較部６に入力され、そのボトム値と、所定値設定部５により設定される所定の範囲の上限、及び下限の閾値とが比較され、その比較結果は、信号保持部７により一定時間保持された後、出力され、重み付け部８に入力される。
【００４２】
重み付け部８は、装置外のマイコン等の設定に基づいて、信号保持部７の出力に対して重み付けを行なう。この装置外のマイコン等は入力信号１を監視し、入力信号１に偏りがあると判断した場合には、重み付け部８が、重み付けの設定を行なう。
【００４３】
重み付け部８の出力は、平均化部９により一定間隔で加算され、その和が平均値として出力され、制御部１０に入力される。制御部１０では、可変増幅部２に制御値を与え、装置全体に負帰還がかかるように増幅レベルを制御する。
【００４４】
図２は、本発明の実施の形態１による信号再生装置１００の信号タイミング図であり、該信号再生装置１００に、アシンメトリディスクの再生等により波形に偏りがある信号が入力された場合を示している。
【００４５】
ここで、出力信号４を所定の振幅にするためには、低域成分除去部３の出力のボトム値がｃ０であることが必要であるとして、所定値設定部５は、振幅の収束に幅を持たせるために、比較部６で用いる閾値として、ｃ０に対して小さめのｃ１、及び大きめのｃ２を設定し、比較部６は、低域成分除去部３の出力のボトム値がｃ１以下の時は−１、ｃ１からｃ２の間の時は０、ｃ２以上の時は＋１と出力するものとする。
【００４６】
図２に示されるように、アシンメトリディスクの再生等により波形に偏りがある信号が入力された際に、重み付け部８が信号保持部７の出力−１に対して重み付けを行ない、−２を平均化部９に出力している。この結果、このときの平均化部９の出力は、該重み付けにより＋１に補正され、波形に偏りがある信号が入力された際においても、可変増幅部２の増幅度は適切な状態となり、出力信号４のボトム側がＧＮＤレベルに張り付いてしまうことを抑えることができる。
【００４７】
このように、本実施の形態１による信号再生装置によれば、入力信号の状態に応じて、信号保持部の出力に対して重み付けを行なう重み付け部を備えたので、アシンメトリディスクの再生等により波形に偏りがある信号が入力された場合においても、出力信号がＧＮＤレベルに張り付いて波形が歪んでしまい、プレイアビリティが悪化してしまうことを、防ぐことができる効果が得られる。
【００４８】
（実施の形態２）
以下、本発明の実施の形態２による信号再生装置３００について説明する。
【００４９】
図３は、本発明の実施の形態２による信号再生装置３００のブロック図である。
【００５０】
本実施の形態２の信号再生装置３００は、前記実施の形態１の信号再生装置１００において、ディスク上のキズや汚れ等の影響により入力信号１に混在するディフェクトを検出するディフェクト検出部１１を備え、前記実施の形態１における重み付け部８に代えて、重み付け部１８を備えたものである。
【００５１】
ここで、重み付け部１８は、ディフェクト検出部１１がディフェクトを検出しない場合には、入力信号１の状態を監視する装置外のマイコン等（図示しない）による設定に基づいて、信号保持部７の出力に対して重み付けを行ない、ディフェクト検出部１１がディフェクトを検出した場合には、重み付けの設定変更を行なわないものである。
【００５２】
以下、本実施の形態２による信号再生装置２００の動作について説明する。
【００５３】
まず、光ピックアップから出力された再生信号は、入力信号１として可変増幅部２にて増幅された後、２つに分岐され、一方は出力信号４として装置外に出力され、他方は低域成分除去手段３に入力されて直流成分が除去される。ここで、可変増幅部２の増幅度は、制御部１０が出力する制御値により決定される。
【００５４】
低域成分除去部３から出力された信号は、比較部６に入力され、そのボトム値と、所定値設定部５により設定される所定の範囲の上限、及び下限の閾値とが比較され、その比較結果は、信号保持部７により一定時間保持された後、重み付け部１８に入力される。
【００５５】
ディフェクト検出部１１は、入力信号１を監視し、入力信号１に混在するディフェクトを検出する。
【００５６】
重み付け部１８は、装置外のマイコン等の設定に基づいて、信号保持部７の出力に対して重み付けを行なうが、ディスク上のキズや汚れ等の影響によりディフェクトが入力信号１に混在した場合には、重み付け部１８に設定される重みが適正な重みとならないため、ディフェクト検出部１１がディフェクトを検出した場合には、装置外のマイコン等による設定については、その変更を行なわず、該重みの設定を固定する。
【００５７】
重み付け部１８の出力は、平均化部９により一定間隔で加算され、その和が平均値として出力され、制御部１０に入力される。制御部１０では、可変増幅部２に制御値を与え、装置全体に負帰還がかかるように増幅レベルを制御する。
【００５８】
このように、本実施の形態２による信号再生装置によれば、ディスク上のキズや汚れ等の影響により入力信号に混在するディフェクトを検出するディフェクト検出部を備え、ディフェクト検出部がディフェクトを検出した場合には、重み付け部は、重み付けの設定の変更を行わないものとしたので、ディフェクトが入力され、一時的な入力信号の乱れがあったような場合にも、適正な増幅を行なうことができる効果が得られる。
【００５９】
（実施の形態３）
以下、本発明の実施の形態３による信号再生装置４００について説明する。
【００６０】
図４は、本発明の実施の形態３による信号再生装置４００のブロック図である。
【００６１】
本実施の形態３の信号再生装置４００は、前記実施の形態１の信号再生装置１００において、さらに、ディスクの再生中のフォーカス外れを検出するフォーカス外れ検出部１２を備え、かつ、前記重み付け部１８に代えて、重み付け部２８を備えたものである。
【００６２】
ここで、重み付け部２８は、ディフェクト検出部１１がディフェクトを検出せず、かつフォーカス外れ検出部１２がフォーカス外れを検出しない場合には、前記信号保持部７の出力に対して、入力信号１の状態を監視する装置外のマイコン等（図示せず）による設定に基づいて、重み付けを行なうものである。一方、ディフェクト検出部１１がディフェクトを検出した場合には、該重み付け部２８は、重み付けの設定の変更は行なわない。さらに、フォーカス外れ検出部１２がフォーカス外れを検出した場合は、現在設定している重みの設定を、初期値にリセットするものである。
【００６３】
以下、本実施の形態３の信号再生装置４００の動作について説明する。
【００６４】
まず、光ピックアップから出力された再生信号は、入力信号１として可変増幅部２にて増幅された後、２つに分岐され、一方は出力信号４として装置外に出力され、他方は低域成分除去手段３に入力されて直流成分が除去される。ここで、可変増幅部２の増幅度は、制御部１０が出力する制御値により決定される。
【００６５】
低域成分除去部３から出力された信号は、比較部６に入力され、そのボトム値と、所定値設定部５により設定される所定の範囲の上限、及び下限の閾値とが比較され、その比較結果は、信号保持部７により一定時間保持された後、重み付け部２８に入力される。
【００６６】
ディフェクト検出部１１は、入力信号１に混在するディフェクトを検出し、フォーカス外れ検出部１２は、ディスクの再生中のフォーカス外れを検出する。
【００６７】
重み付け部２８は、信号保持部７の出力に対し、装置外のマイコン等の設定に基づいて、重み付けを行なう。ただし、ディフェクト検出部１１がディフェクトを検出した場合には、装置外のマイコン等による重み付けの設定については、その変更は行わない。
【００６８】
また、再生中にフォーカスが外れた場合は、入力信号１そのものの内容の信頼性が低くなるため、フォーカス外れ検出部１２が該フォーカス外れを検出した場合は、重み付け部２８は、現在設定されている重みの設定を、初期値にリセットする。
【００６９】
重み付け部２８の出力は、平均化部９により一定間隔で加算され、その和が平均値として出力され、制御部１０に入力される。制御部１０では、可変増幅部２に制御値を与え、装置全体に負帰還がかかるように増幅レベルを制御する。
【００７０】
このように、本実施の形態３による信号再生装置によれば、ディスクの再生中のフォーカス外れを検出するフォーカス外れ検出部を備え、重み付け部は、フォーカスが外れた場合には、現在設定されている重みの設定を初期値にリセットするようにしたので、フォーカス復帰時に、重みによって過剰または過小な増幅が行なわれることなく再生を開始することができる効果が得られる。
【００７１】
（実施の形態４）
以下、本発明の実施の形態４による信号再生装置５００について説明する。
【００７２】
図５は、本発明の実施の形態４による信号再生装置５００のブロック図である。
【００７３】
本実施の形態４の信号再生装置５００は、出力信号４のボトム値またはピーク値を、所定の第１または第２の範囲に収束させるための閾値を設定する所定値設定部１５と、低域成分除去部３の出力のピーク値またはボトム値と、所定値設定部１５が設定する所定の第１または第２の範囲の上限及び下限の閾値とをそれぞれ比較する比較部１６と、比較部１６の比較結果の差分から適正な重みの値を求める信号判別部１３と、ディフェクト検出部１１がディフェクトを検出せず、かつフォーカス外れ検出部１２がフォーカス外れを検出しない場合には、信号判別部１３の求めた重みの値に基づいて、信号保持部７の出力に対して重み付けを行ない、ディフェクト検出部１１がディフェクトを検出した場合には、重み付けの設定の変更を行なわず、フォーカス外れ検出部１２がフォーカス外れを検出した場合には、現在設定している重みの設定を、初期値にリセットする重み付け部３８とを、備えたものである。
【００７４】
以下、本実施の形態４による信号再生装置５００の動作について説明する。
【００７５】
まず、光ピックアップから出力された再生信号は、入力信号１として可変増幅部２にて増幅された後、２つに分岐され、一方は出力信号４として装置外に出力され、他方は低域成分除去手段３に入力されて直流成分が除去される。ここで、可変増幅部２の増幅度は、制御部１０が出力する制御値により決定される。
【００７６】
低域成分除去部３から出力された信号は、比較部１６に入力され、そのボトム値またはピーク値と、所定値設定部１５が設定する所定の第１または第２の範囲の上限及び下限の閾値とが、それぞれ比較され、それらの比較結果は、信号保持部７により一定時間保持された後、重み付け部３８に入力されるとともに、信号判別部１３にも入力される。
【００７７】
信号判別部１３は、低域成分除去部３の出力のボトム値と所定値設定部１５に設定される第１の範囲の閾値との比較結果と、低域成分除去部３の出力のピーク値と所定値設定部１５に設定される第２の範囲の閾値との比較結果との差分から、入力信号１の信号状態を判別し、適正な重みの値を求める。
【００７８】
ディフェクト検出部１１は、入力信号１に混在するディフェクトを検出し、フォーカス外れ検出部１２は、ディスクの再生中のフォーカス外れを検出する。
【００７９】
重み付け部３８は、信号保持部７の出力に対して、信号判別部１３の求めた重みの値に基づいて、重み付けを行なうが、ディフェクト検出部１１がディフェクトを検出した場合には、信号判別部１３による設定変更を行なわない。また、フォーカス外れ検出部１２がフォーカス外れを検出した場合には、現在設定されている重みの設定を、初期値にリセットする。
【００８０】
重み付け部３８の出力は、平均化部９により一定間隔で加算され、その和が平均値として出力され、制御部１０に入力される。制御部１０では、可変増幅部２に制御値を与え、装置全体に負帰還がかかるように増幅レベルを制御する。
【００８１】
このように、本実施の形態４による信号再生装置によれば、低域成分除去部の出力のボトム値またはピーク値と、所定値設定部が設定する閾値との各比較結果の差分から適正な重みの値を求める信号判別部を備え、該信号判別部の出力に基づいて重み付け部により適切な重み付けを行なうようにしたので、装置外のマイコン等を用いることなく信号保持部の出力に対して、適正な重み付けを行なうことができる。
【００８２】
なお、上記実施の形態１〜４では、信号保持部には、低域成分除去部の出力のボトム値と所定の閾値との比較結果が入力されるものとしたが、低域成分除去部の出力のピーク値と所定の閾値との比較結果が入力されるものとしてもよい。
【産業上の利用可能性】
【００８３】
本発明にかかる信号再生装置は、アシンメトリディスクの再生等により波形に偏りがある信号が入力された場合においても、出力信号がＧＮＤレベルに張り付いて波形が歪んでしまい、プレイアビリティが悪化してしまうことを防ぐことができ、光ディスクシステム等の信号再生装置として有用である。
【図面の簡単な説明】
【００８４】
【図１】本発明の実施の形態１による信号再生装置１００のブロック図である。
【図２】本発明の実施の形態１における信号タイミング図である。
【図３】本発明の実施の形態２による信号再生装置３００のブロック図である。
【図４】本発明の実施の形態３による信号再生装置４００のブロック図である。
【図５】本発明の実施の形態４による信号再生装置５００のブロック図である。
【図６】従来の信号再生装置６００のブロック図である。
【図７】信号再生装置６００の入出力信号の波形を示す図である。
【図８】従来の信号再生装置６００における各部の信号タイミング図である。
【図９】従来の信号再生装置６００に偏りのある信号が入力された場合の信号タイミング図である。
【符号の説明】
【００８５】
１００  信号再生装置
３００  信号再生装置
４００  信号再生装置
５００  信号再生装置
６００  信号再生装置
１  入力信号
２  可変増幅部
３  低域成分除去部
４  出力信号
５，１５  所定値設定部
６，１６  比較部
７  信号保持部
８，１８，２８，３８  重み付け部
９  平均化部
１０  制御部
１１  ディフェクト検出部
１２  フォーカス外れ検出部
１３  信号判別部
【図１】
2009026388.tif 000003
【図２】
2009026388.tif 000004
【図３】
2009026388.tif 000005
【図４】
2009026388.tif 000006
【図５】
2009026388.tif 000007
【図６】
2009026388.tif 000008
【図７】
2009026388.tif 000009
【図８】
2009026388.tif 000010
【図９】
2009026388.tif 000011